(57)【要約】【課題】適切な測定条件において血圧を測定する。【解決手段】  センサユニットにより使用者の脈拍を測定し、  計数ユニットにより該センサユニットにより測定した一定間隔中の脈拍数を計数してその値に基づき脈拍の速度を算出し、その期間中の脈拍速度変化により使用者の脈拍速度が安定しているか否かを判定して血圧測定装置に対して、測定条件の適否を表示させる。 脈拍変化より、使用者の血圧測定条件が安静状態のように適切か否かを判定できるため、血圧測定値の信頼性が向上する。【選択図】図１
2008178513.tif 000002
【特許請求の範囲】
【請求項１】
血圧測定装置に適用する血圧測定方法であって、
センサユニットを適用して脈拍を感知し、
計数ユニットによってセンサユニットの感知した一インターバル時間の脈拍数を計数し、更にこれに基づいて脈拍の速度を計算し、
判断機構によって一インターバル時間内の該脈拍の速度の状態を判別して、操作信号を発生し、
該操作信号に基づいて該血圧測定装置を操作制御することを特徴とする血圧測定方法。
【請求項２】
該判断機構は、上記判別及び操作プログラムを含むことを特徴とする請求項１記載の血圧測定方法。
【請求項３】
該判断機構は、一インターバル時間内の該脈拍の速度の変化範囲により該脈拍の速度の安定または非安定を判別することを特徴とする請求項１記載の血圧測定方法。
【請求項４】
該変化範囲の単位は、脈拍数または変化率百分比であることを特徴とする請求項３記載の血圧測定方法。
【請求項５】
該脈拍の速度が安定のとき、該操作信号は血圧測定実行または使用者への血圧測定の通知を含むことを特徴とする請求項３記載の血圧測定方法。
【請求項６】
該脈拍の速度が非安定のとき、該操作信号は血圧測定禁止または使用者への脈拍不安定の通知を含むことを特徴とする請求項３記載の血圧測定方法。
【請求項７】
更に、制御ユニットを具え、強制的に血圧測定の該操作信号を発生することを特徴とする請求項６記載の血圧測定方法。
【請求項８】
血圧測定装置に適用する血圧測定方法であって、
センサユニットを適用して使用者の脈拍を感知し、
計数ユニットによって該センサユニットの感知した一インターバル時間の脈拍数を計数し、更にこれに基づき脈拍の速度を計算し、
該血圧測定装置を使用して血圧を測定し、
判断機構によって一インターバル時間内の該脈拍の速度の状態を判別し、該血圧の信頼性情報を発生することを特徴とする血圧測定方法。
【請求項９】
該判断機構は、上記判別、操作プログラムを含むことを特徴とする請求項１記載の血圧測定方法。
【請求項１０】
該判断機構は、一インターバル時間内の該脈拍の速度の変化範囲により該脈拍の速度の安定または非安定を判別することを特徴とする請求項１記載の血圧測定方法。
【請求項１１】
該変化範囲の単位は、脈拍数または変化率百分比であることを特徴とする請求項１０記載の血圧測定方法。
【請求項１２】
該脈拍の速度が安定のとき、信頼できるという該信頼性情報を発生することを特徴とする請求項１０記載の血圧測定方法。
【請求項１３】
該脈拍の速度が非安定のとき、信頼できないという該信頼性情報を発生することを特徴とする請求項１０記載の血圧測定方法。
【請求項１４】
血圧測定装置であって、少なくとも、
血圧測定本体を具えて使用者の血圧を測定するのに用い、
センサユニットを具えて使用者の脈拍を感知し、
計数ユニットを具えて該センサユニットの感知した一インターバル時間の脈拍数を計数し、更にこれに基づいて脈拍の速度を計算し、
処理ユニットを具えて判断機構を実行して該脈拍の速度の状態を判別し、操作信号を発生して該血圧測定本体を操作制御して測定を実行し、または該血圧の信頼性情報を発生するようにして成ることを特徴とする血圧測定装置。
【請求項１５】
該判断機構は、上記判別及び操作プログラムを含むことを特徴とする請求項１４記載の血圧測定装置。
【請求項１６】
該判断機構は、一インターバル時間内の該脈拍の速度の変化範囲により該脈拍の速度の安定または非安定を判別するようにして成ることを特徴とする請求項１４記載の血圧測定装置。
【請求項１７】
該変化範囲の単位は、脈拍数または変化率百分比を含むようにして成ることを特徴とする請求項１６記載の血圧測定装置。
【請求項１８】
該脈拍の速度が安定のとき、該操作信号は血圧測定実施または使用者への血圧測定実施の通知を含み、または信頼できるという該信頼性情報を発生するようにして成ることを特徴とする請求項１６記載の血圧測定装置。
【請求項１９】
該脈拍の速度が非安定のとき、該操作信号は血圧測定禁止または使用者への脈拍不安定の通知を含み、または信頼できないという該信頼性情報を発生するようにして成ることを特徴とする請求項１６記載の血圧測定装置。
【請求項２０】
更に制御ユニットを具えて強制的に血圧測定実施の該操作信号を発生するのに用いるようにして成ることを特徴とする請求項１９記載の血圧測定装置。
【発明の詳細な説明】
【技術分野】
【０００１】
本発明は、血圧の測定方法及び装置に関し、特に安定した状態で血圧の測定が行われたか否かを判断する血圧の測定方法及び装置に関する。
【背景技術】
【０００２】
血圧は、血液が流れる際に血管壁にかかる圧力であり、心臓から出た血液は圧力差があって初めて身体を一周することができる。心臓は絶えず収縮、弛緩を繰り返すことによって血液を前進させる。一般には、血圧の測定で以下の生理的情報が得られる。１．収縮期血圧：収縮期血圧は最高血圧であり、心臓が収縮して血液を血管に送り込んだときに測定される血圧である。２．拡張期血圧：拡張期血圧は最低血圧であり、心臓が収縮していないときに得られる圧力である。３．脈拍数：心臓が毎分収縮する回数である。使用者は測定して得られたこれらの数値が正常範囲を超えていないか否かを、身体の健康状態の重要な指標とすることができる。
【０００３】
公知の電子血圧計は、一般に、収縮期血圧、拡張期血圧及び脈拍数を測定できる。しかし、現在の電子血圧計で測定して得られた数値はそれぞれ独立した観点で各種数値を示しており、使用者が自身で数値に基づいて正常範囲を超過していないか判断し、身体の健康状態を理解する。また、血圧を測定する前に使用者は数分間にわたり休息して各種整理状況を緩和した上で、測定数値の精度を確保する必要がある。しかし各種生理的数値は使用者の身体上の運動や心理上の感情の起伏に影響されるため、精度の高い生理的数値を測定することは非常に重要な研究課題となっている。
【特許文献１】特開２００６−２１２１８６号公報
【特許文献２】特開２００５−１２４７１８号公報
【発明の開示】
【発明が解決しようとする課題】
【０００４】
本発明は、上述の問題を解決し、安定した状態で血圧の測定が行われたか否かを判断する血圧の測定方法及び装置を提供することを課題とする。
【課題を解決するための手段】
【０００５】
上述の課題と解決するために、血圧測定装置に適用する本発明の血圧測定方法は、以下のステップからなる。センサユニットにより使用者の脈拍を感知し、計数ユニットによってセンサユニットに基づき一インターバル時間の脈拍数を計数し、更にこれに基づき脈拍の速度を計算し、判断機構で脈拍の速度の状態を判別し、操作信号を発生し、操作信号に基づき血圧測定装置を操作制御する。
【０００６】
更に、血圧測定装置に適用する本発明の血圧測定方法は、すくなくとも血圧測定本体、センサユニット、計数ユニット及び処理ユニットを具える。血圧測定本体は、使用者の血圧の測定に用い、センサユニットは使用者の脈拍の感知に用い、計数ユニットはセンサユニットに基づき一インターバル時間の脈拍数を計数し、更にこれに基づき脈拍の速度を計算し、処理ユニットは判断機構を実行して脈拍の速度の状態を判別し、操作信号を発生して血圧測定本体を操作制御して測定を行う。
【発明の効果】
【０００７】
本発明の血圧測定方法及び装置は、使用者の脈拍速度が安定しているか否かを判定することによって、血圧測定の精度を確保する。よって公知の人為的判断の不確実性が引き起こす血圧測定上の誤差を改善することができる。
【発明を実施するための最良の形態】
【０００８】
本発明の血圧測定方法のプロセスは、図１に示すように、血圧測定装置に適用し、以下のステップを含む。
ステップＳ１１：センサユニットを適用して使用者の脈拍を感知する。
ステップＳ１２：計数ユニットによりセンサユニットに基づき一インターバル時間の脈拍数を計数し、更にこれに基づき脈拍の速度を計算する。
ステップＳ１３：判断機構によって脈拍の速度の状態を判別し、操作信号を発生する。
ステップＳ１４：操作信号に基づき血圧測定装置を操作制御する。
【０００９】
上述の判断機構は、脈拍の速度の変化に基づき変化範囲を対応させて脈拍の速度の安定または非安定を判断するプログラムを含む。変化範囲の単位は、一般に脈拍数または変化率百分比を採用し、脈拍の速度が安定であるとき、操作信号は、血圧測定実施または使用者への血圧測定実施の通知であり、脈拍の速度が不安定なとき、操作信号は血圧測定禁止または使用者への脈拍不安定の通知である。更に、血圧測定方法は、制御ユニットにより、強制的に血圧測定を実施する操作信号を発生する。
【００１０】
図２に示すように、本発明の血圧測定方法の実施プロセスにおいて、血圧測定方法の実施ステップは以下の通りである。
ステップＳ２１：被験者の脈拍を測定する。
ステップＳ２２：被験者の脈拍の速度を計数する。
ステップＳ２３：脈拍の速度が安定しているか否かを判断し、安定していればステップＳ２４を実行し、非安定であればステップＳ２５を実行する。
ステップＳ２４：血圧測定を実行する。
ステップＳ２５：脈拍の安定を待つか否か選択し、待つ場合はステップＳ２２に戻り、待たない場合は強制的にステップＳ２４を実行する。
【００１１】
図３に示すように、本発明の血圧測定装置のブロックチャートでは、この血圧測定装置３は少なくとも血圧測定本体３１、センサユニット３２、計数ユニット３３及び処理ユニット３４を具える。血圧測定本体３１は、使用者の血圧を測定するのに用いる。センサユニット３２は使用者の脈拍３５を感知するのに用い、計数ユニット３３はセンサユニット３２に基づき一インターバル時間の脈拍数を計数し、更にこれに基づき脈拍の速度３６を計算する。処理ユニット３４は判断機構３４１を実行して脈拍の速度３６の状態を判別し、操作信号３７を発生して血圧測定本体３１を操作制御して測定を実行し、または血圧の信頼性情報を発生する。
【００１２】
上述の判断機構３４１は、この判断機構３４１は脈拍の速度３６の変化に基づいて変化範囲を対応させて脈拍の速度３６が安定か非安定かを判別するプログラムを含み、変化範囲の単位は一般に脈拍数または変化率百分比を含む。脈拍の速度３６が安定のとき、操作信号３７は血圧測定実行または使用者への血圧測定実施の通知であり、または信頼できるという信頼性情報を発生する。脈拍の速度３６が不安定の場合、操作信号３７は血圧測定禁止または使用者への脈拍不安定の通知、または信頼できないという信頼性情報である。更に、血圧測定装置は制御ユニットを具え、強制的に血圧測定を実行する操作信号３７を発生するのに用いる。
【００１３】
図４に示すように、本発明のさらに他の血圧測定方法のプロセス図では、この血圧測定装置に適用する血圧測定方法は、以下のステップからなる。
ステップＳ４１：センサユニットを適用して使用者の脈拍を感知する。
ステップＳ４２：計数ユニットでセンサユニットに基づき一インターバル時間の脈拍数を計数し、更にこれに基づき脈拍の速度を計算する。
ステップＳ４３：血圧測定装置で血圧を測定する。
ステップＳ４４：判断機構で脈拍の速度の状態を判別し、血圧の信頼性情報を発生する。
【００１４】
上述の判断機構は、この判断機構は脈拍の速度の変化に基づき変化範囲を対応させて脈拍の速度が安定か不安定かを判別するプログラムを含み、変化範囲の単位は一般に脈拍数または変化率百分比を含む。脈拍の速度が安定のとき、信頼できるという信頼性情報を発生し、脈拍の速度が非安定のとき、信頼できないという信頼性情報を発生する。
【図面の簡単な説明】
【００１５】
【図１】本発明の血圧測定方法のプロセス図である。
【図２】本発明の血圧測定方法の実施プロセス図である。
【図３】本発明の血圧測定装置のブロックチャートである。
【図４】本発明のもう一つの血圧測定方法のプロセス図である。
【符号の説明】
【００１６】
Ｓ１１〜Ｓ１４         プロセスステップ
Ｓ２１〜Ｓ２５         プロセスステップ
３     血圧測定装置
３１   血圧測定本体
３２   センサユニット
３３   計数ユニット
３４   処理ユニット
３４１ 判断機構
３５   脈拍
３６   脈拍の速度
３７   操作信号
Ｓ４１〜Ｓ４４  プロセスステップ
【図１】
2008178513.tif 000003
【図２】
2008178513.tif 000004
【図３】
2008178513.tif 000005
【図４】
2008178513.tif 000006